(57)【要約】【課題】有害物質の発生を防止しながらマイナスイオンを発生させる機能を有する空気清浄装置を提供する。【解決手段】空気清浄装置は、室内１１の空気を吸引する送風機１と、吸引された室内の空気１２を通過させながら清浄化するとともに集塵し脱臭する集塵脱臭部２と、集塵脱臭部２を通過する空気の流れの上流側に配設されてその部分での空気の汚れを検出する第１の空気汚れ度センサ３と、集塵脱臭部２の下流側にあって通過して清浄化された空気に湿気を加える気化式加湿装置５と、気化式加湿装置５によって加湿化された空気をイオン化させる放電式マイナスイオン発生装置６と、検出された空気の汚れに基づいて少なくとも気化式加湿装置５および放電式マイナスイオン発生装置６の動作を制御して室内の空気を清浄化して有害物質の発生を低減しながらマイナスイオンを発生させるよう制御する制御部４と、から構成される。【選択図】      図１
2004150734.tif 000002
【特許請求の範囲】
【請求項１】
室内の空気を吸引して送出する吸引送風手段と、
吸引された前記空気を通過させて清浄化する清浄化手段と、
前記清浄化手段を通過する前記空気の流れの上流側に配設されて上流側空気の汚れ度を検出する第１の空気汚れ度検出手段と、
前記清浄化手段を通過する前記空気の流れの下流側に配設されて加湿する気化式加湿手段と、
前記清浄化手段を通過する前記空気の流れの下流側に配設されてマイナスイオンを発生する放電式マイナスイオン発生手段と、
検出された前記上流側空気の汚れ度に基づいて、前記吸引送風手段、清浄化手段、第１の空気汚れ度検出手段、気化式加湿手段、および放電式マイナスイオン発生手段のうち、少なくとも前記気化式加湿手段および放電式マイナスイオン発生手段を制御することにより、前記室内の空気を清浄化して有害物質の発生を低減しながらマイナスイオンを発生させる制御手段と、
を備えたことを特徴とする空気清浄装置。
【請求項２】
前記第１の空気汚れ度検出手段は、前記上流側空気の汚れ度として上流側ガス濃度を検出する第１のガスセンサを含み、
前記制御手段は、前記上流側ガス濃度が所定値以下において前記気化式加湿手段および放電式マイナスイオン発生手段を動作させるように制御することを特徴とする請求項１に記載の空気清浄装置。
【請求項３】
前記第１の空気汚れ度検出手段は、前記上流側空気の汚れ度として上流側粉塵濃度を検出する第１の煙センサを含み、
前記制御手段は、前記上流側粉塵濃度が所定値以下において前記気化式加湿手段および放電式マイナスイオン発生手段を動作させるように制御することを特徴とする請求項１に記載の空気清浄装置。
【請求項４】
前記第１の空気汚れ度検出手段は、前記空気の流れの上流側において上流側ガス濃度を検出する第１のガスセンサおよび上流側粉塵濃度を検出する第１の煙センサを含み、
前記制御手段は、前記上流側空気の汚れ度として、検出された前記上流側ガス濃度および前記上流側粉塵濃度の１次結合値が所定値以下において前記気化式加湿手段および放電式マイナスイオン発生手段を動作させるように制御することを特徴とする請求項１に記載の空気清浄装置。
【請求項５】
前記清浄化手段を通過する前記空気の流れの下流側に配設されて、前記下流側空気の汚れ度を検出する第２の空気汚れ度検出手段を、更に備え、
前記制御手段は、検出された前記下流側空気の汚れ度が所定値以下において前記気化式加湿手段および放電式マイナスイオン発生手段を動作させるように制御することを特徴とする請求項１〜４のいずれか１つに記載の空気清浄装置。
【請求項６】
前記第２の空気汚れ度検出手段は、前記下流側空気の汚れ度として下流側ガス濃度を検出する第２のガスセンサを含み、
前記制御手段は、前記下流側ガス濃度が所定値以下において前記気化式加湿手段および放電式マイナスイオン発生手段を動作させるように制御することを特徴とする請求項５に記載の空気清浄装置。
【請求項７】
前記第２の空気汚れ度検出手段は、前記下流側空気の汚れ度として下流側粉塵濃度を検出する第２の煙センサを含み、
前記制御手段は、前記下流側粉塵濃度が所定値以下において前記気化式加湿手段および放電式マイナスイオン発生手段を動作させるように制御することを特徴とする請求項５に記載の空気清浄装置。
【請求項８】
前記第２の空気汚れ度検出手段は、前記空気の流れの下流側において下流側ガス濃度を検出する第２のガスセンサおよび下流側粉塵濃度を検出する第２の煙センサを含み、
前記制御手段は、前記下流側空気の汚れ度として、検出された前記下流側ガス濃度および前記下流側粉塵濃度の１次結合値が所定値以下において前記気化式加湿手段および放電式マイナスイオン発生手段を動作させるように制御することを特徴とする請求項５に記載の空気清浄装置。
【請求項９】
前記室内の湿度を検出する湿度センサを、更に備え、
前記制御手段は、検出される前記室内の湿度が所定の範囲内において前記気化式加湿手段および放電式マイナスイオン発生手段を動作させるように制御することを特徴とする請求項１〜８のいずれか１つに記載の空気清浄装置。
【請求項１０】
前記制御手段は、前記検出された前記室内の湿度に基づいて前記第１のガスセンサの検出する前記上流側ガス濃度を補正することにより、補正された前記上流側ガス濃度が所定値以下において前記気化式加湿手段および放電式マイナスイオン発生手段を動作させるように制御すること特徴とする請求項２または４に記載の空気清浄装置。
【請求項１１】
前記制御手段は、前記検出された前記室内の湿度に基づいて、前記第２のガスセンサの検出する前記下流側ガス濃度を補正することにより、補正された前記下流側ガス濃度が所定値以下において前記気化式加湿手段および放電式マイナスイオン発生手段を動作させるように制御することを特徴とする請求項６または８に記載の空気清浄装置。
【請求項１２】
更に、人感センサを備え、
前記制御手段は、前記人感センサの検出に基づいて、所定の無人状態において、前記吸引送風手段、清浄化手段、気化式加湿手段、および放電式マイナスイオン発生手段のうち、少なくとも１つの動作を制御することにより、電力消耗を低減することを特徴とする請求項１〜１１のいずれか１つに記載の空気清浄装置。
【発明の詳細な説明】
【０００１】
【発明の属する技術分野】
この発明は、空気清浄装置に関し、特にマイナスイオン発生機能を有する空気清浄装置に関する。
【０００２】
【従来の技術】
マイナスイオンが人体に良好な作用を持つことは既に良く知られている。空気中にはプラスとマイナスの両方のイオンが存在しているのであるが、一般的にプラスイオンが多いと疲労、倦怠感、頭痛等の症状が出やすくなる。反対に、マイナスイオンが多いとそれらの症状が緩和されるといわれている。あるいは、加湿状態でのイオン化空気、特に加湿状態でのマイナスイオン化空気はストレス解消に効果的であることが広く知られている。自然界の滝等で作られるマイナスイオンは生体作用に良好な効果があるといわれているが、その場合、酸素分子に水分子が数個付着したＯ２−（Ｈ２Ｏ）ｎの形を取ると考えられている。
【０００３】
しかしその一方で、汚れた空気中での放電によって発生したマイナスイオンは返って有害となり得る可能性があると報告されている。そして、イオンの発生条件としては、過度の高湿度および低湿度においては不利であり、一般的には湿度が４０〜６０％である場合が最も好適であるとされている。
【０００４】
現在、マイナスイオンを発生させる機能を有する空気清浄機、エアコン、加湿器、およびドライヤ等が発売されている。マイナスイオン発生器で市販されているものは、レナード効果を利用した水波砕式と、高電圧放電を利用したコロナ放電式や電子放射式が一般的である。しかしながら、水波砕式では騒音が発生すること、および水に雑菌が繁殖した場合雑菌をばらまいてしまうという問題点があった。一方、高圧電源放電を利用したコロナ放電式ではオゾンの発生、窒素化合物等の副生成物発生の問題に加え、強制的に空気中のさまざまな粒子を帯電させるため、挨やチリ、その他空気中に含まれるさまざまなガス成分等人体に有害な物質までもマイナスに帯電させてしまうという問題があった。
【０００５】
この点を解決するために、特開２０００−３５６３７２号公報の発明では蒸気発生装置で発生させた蒸気へ、イオン針を用いるマイナスイオン発生器によってマイナスイオンを放出することで、水波砕式での騒音と雑菌放出の問題を解決しようとしている。即ち、浄化された空気の流れの出口に加湿器を設置し、イオン化針を用いる電子放射式マイナスイオン発生器によってマイナスイオンを発生させるものである（特許文献１）。
【０００６】
また、特開２００２−８９９４０号公報の発明では、空気清浄器とマイナスイオン発生器を備えた空気調和機において、室内空気の汚れが低いときは空気清浄器を停止してマイナスイオン発生器のみを稼働することによって消費電力を低減しようとするものである（特許文献２）。
【０００７】
【特許文献１】
特開２０００−３５６３７２号公報（第２−３頁、第１図）
【特許文献２】
特開２００２−８９９４０号公報（第２−３頁、第２、３図）
【０００８】
【発明が解決しようとする課題】
しかしながら、マイナスイオン発生部の空気が汚れている場合は、挨やチリ、その他空気中に含まれるさまざまなガス成分等人体に有害な物質までをもマイナスに帯電させてマイナスイオンにしてしまい、有害物質を発生させてしまうことになる。その点で、特開２０００−３５６３７２号公報の発明ではマイナスイオン発生器がマイナスイオンを放出する近傍の空気の汚れを浄化する手段がなく、マイナスイオンの生成にともなって有害な物質がイオン化により新たに発生するという問題があった。
【０００９】
また、特開２００２−８９９４０号公報の発明では、空気清浄器とマイナスイオン発生器を備えた空気調和機であるが、室内空気の汚れが低いときに空気清浄器を停止してマイナスイオン発生器のみを稼働することによって消費電力を抑えるとしているが、空気の汚れ度が高い際にその汚れ度を低減させてマイナスイオンを発生させたい場合には、どのようにすれば良いかが開示されていない。
【００１０】
本発明はこのような問題点に鑑みてなされ、その目的は、マイナスイオンの発生にともなって発生しやすい有害物質の発生を低減しマイナスイオンを有効に発生させることができる空気清浄装置を提供することである。
【００１１】
【課題を解決するための手段】
上記目的を達成するため、請求項１にかかる発明は、室内の空気を吸引して送出する吸引送風手段と、吸引された前記空気を通過させて清浄化する清浄化手段と、前記清浄化手段を通過する前記空気の流れの上流側に配設されて上流側空気の汚れ度を検出する第１の空気汚れ度検出手段と、前記清浄化手段を通過する前記空気の流れの下流側に配設されて加湿する気化式加湿手段と、前記清浄化手段を通過する前記空気の流れの下流側に配設されてマイナスイオンを発生する放電式マイナスイオン発生手段と、検出された前記上流側空気の汚れ度に基づいて、前記吸引送風手段、清浄化手段、第１の空気汚れ度検出手段、気化式加湿手段、および放電式マイナスイオン発生手段のうち、少なくとも前記気化式加湿手段および放電式マイナスイオン発生手段を制御することにより、前記室内の空気を清浄化して有害物質の発生を低減しながらマイナスイオンを発生させる制御手段と、を備えたことを特徴とする空気清浄装置である。
【００１２】
この請求項１の発明によれば、室内の空気を吸引して送出する吸引送風手段によって清浄化手段に空気を通過させ、その空気の流れの上流側に空気の汚れ度を検出する第１の空気汚れ度検出手段を設け、清浄化手段の下流側に気化式加湿手段と放電式マイナスイオン発生手段とを配設し、上流側空気の汚れ度に基づいて制御手段は、吸引送風手段、清浄化手段、第１の空気汚れ度検出手段、気化式加湿手段、および放電式マイナスイオン発生手段のうち、少なくとも気化式加湿手段および放電式マイナスイオン発生手段を制御することによって空気を清浄化して有害物質の発生を低減しながらマイナスイオンを発生させるので、有害物質の発生を低減しマイナスイオンを有効に発生させることができる空気清浄装置を提供できる。
【００１３】
また、請求項２にかかる発明は、請求項１に記載の空気清浄装置において、前記第１の空気汚れ度検出手段は、前記上流側空気の汚れ度として上流側ガス濃度を検出する第１のガスセンサを含み、前記制御手段は、前記上流側ガス濃度が所定値以下において前記気化式加湿手段および放電式マイナスイオン発生手段を動作させるよう制御することを特徴とする。
【００１４】
この請求項２の発明によれば、請求項１に記載の空気清浄装置の作用に加え、第１の空気汚れ度検出手段は上流側空気の汚れ度として上流側ガス濃度を検出する第１のガスセンサを含み、制御手段は上流側ガス濃度が所定値以下において気化式加湿手段および放電式マイナスイオン発生手段を動作させることによって、ガスにより発生する有害物質の発生を低減しながらマイナスイオンを発生させるので、ガスによる有害物質の発生を低減しマイナスイオンを有効に発生させることができる空気清浄装置を提供できる。
【００１５】
また、請求項３にかかる発明は、請求項１に記載の空気清浄装置において、前記第１の空気汚れ度検出手段は、前記上流側空気の汚れ度として上流側粉塵濃度を検出する第１の煙センサを含み、前記制御手段は、前記上流側粉塵濃度が所定値以下において前記気化式加湿手段および放電式マイナスイオン発生手段を動作させるよう制御することを特徴とする。
【００１６】
この請求項３の発明によれば、請求項１に記載の空気清浄装置の作用に加え、第１の空気汚れ度検出手段として、上流側粉塵濃度を検出する第１の煙センサを含み、制御手段は、上流側粉塵濃度が所定値以下において気化式加湿手段および放電式マイナスイオン発生手段を動作させることによって、粉塵により発生する有害物質の発生を低減しながらマイナスイオンを発生させるので、粉塵による有害物質の発生を低減しマイナスイオンを有効に発生させることができる空気清浄装置を提供できる。
【００１７】
また、請求項４にかかる発明は、請求項１に記載の空気清浄装置において、前記第１の空気汚れ度検出手段は、前記空気の流れの上流側において上流側ガス濃度を検出する第１のガスセンサおよび上流側粉塵濃度を検出する第１の煙センサを含み、前記制御手段は、前記上流側空気の汚れ度として、検出された前記上流側ガス濃度および前記上流側粉塵濃度の１次結合値が所定値以下において前記気化式加湿手段および放電式マイナスイオン発生手段を動作させるように制御することを特徴とする。
【００１８】
この請求項４の発明によれば、請求項１に記載の空気清浄装置の作用に加え、第１の空気汚れ度検出手段は、上流側ガス濃度を検出する第１のガスセンサおよび上流側粉塵濃度を検出する第１の煙センサを含み、制御手段は、上流側空気の汚れ度として上流側のガス濃度および粉塵濃度の１次結合値が所定値以下において気化式加湿手段および放電式マイナスイオン発生手段を動作させるように制御することによって、ガスおよび粉塵により発生する有害物質の発生を低減しながらマイナスイオンを発生させるので、ガスおよび粉塵による有害物質の発生を低減しマイナスイオンを有効に発生させることができる空気清浄装置を提供できる。
【００１９】
また、請求項５にかかる発明は、請求項１〜４のいずれか１つに記載の空気清浄装置において、前記清浄化手段を通過する前記空気の流れの下流側に配設されて、前記下流側空気の汚れ度を検出する第２の空気汚れ度検出手段を、更に備え、前記制御手段は、検出された前記下流側空気の汚れ度が所定値以下において前記気化式加湿手段および放電式マイナスイオン発生手段を動作させるように制御することを特徴とする。
【００２０】
この請求項５の発明によれば、請求項１〜４のいずれか１つに記載の空気清浄装置の作用に加え、清浄化手段の下流側に下流側空気の汚れ度を検出する第２の空気汚れ度検出手段を更に備えて、制御手段は下流側空気の汚れ度が所定値以下において気化式加湿手段および放電式マイナスイオン発生手段を動作させるように制御することによって、清浄化された下流側空気の汚れ度を検知するので、より精確に空気の汚れにより発生する有害物質の発生を低減しマイナスイオンを有効に発生させることができる空気清浄装置を提供できる。
【００２１】
また、請求項６にかかる発明は、請求項５に記載の空気清浄装置において、前記第２の空気汚れ度検出手段は、前記下流側空気の汚れ度として下流側ガス濃度を検出する第２のガスセンサを含み、前記制御手段は、前記下流側ガス濃度が所定値以下において前記気化式加湿手段および放電式マイナスイオン発生手段を動作させるように制御することを特徴とする。
【００２２】
この請求項６の発明によれば、請求項５に記載の空気清浄装置の作用に加え、第２の空気汚れ度検出手段は、下流側ガス濃度を検出する第２のガスセンサを含み、制御手段は、下流側ガス濃度が所定値以下において前記気化式加湿手段および放電式マイナスイオン発生手段を動作させるように制御することによって、より精確にガスにより発生する有害物質の発生を低減しながらマイナスイオンを発生させるので、ガスによる有害物質の発生を低減しマイナスイオンを有効に発生させることができる空気清浄装置を提供できる。
【００２３】
また、請求項７にかかる発明は、請求項５に記載の空気清浄装置において、前記第２の空気汚れ度検出手段は、前記下流側空気の汚れ度として下流側粉塵濃度を検出する第２の煙センサを含み、前記制御手段は、前記下流側粉塵濃度が所定値以下において前記気化式加湿手段および放電式マイナスイオン発生手段を動作させるように制御することを特徴とする。
【００２４】
この請求項７の発明によれば、請求項５に記載の空気清浄装置の作用に加え、第２の空気汚れ度検出手段は下流側粉塵濃度を検出する第２の煙センサを含み、制御手段は下流側粉塵濃度が所定値以下において気化式加湿手段および放電式マイナスイオン発生手段を動作させるように制御することによって、より精確に粉塵により発生する有害物質の発生を低減しながらマイナスイオンを発生させるので、より精確に粉塵による有害物質の発生を低減しマイナスイオンを有効に発生させることができる空気清浄装置を提供できる。
【００２５】
また、請求項８にかかる発明は、請求項５に記載の空気清浄装置において、前記第２の空気汚れ度検出手段は、前記空気の流れの下流側において下流側ガス濃度を検出する第２のガスセンサおよび下流側粉塵濃度を検出する第２の煙センサを含み、前記制御手段は、前記下流側空気の汚れ度として、検出された前記下流側ガス濃度および前記下流側粉塵濃度の１次結合値が所定値以下において前記気化式加湿手段および放電式マイナスイオン発生手段を動作させるように制御することを特徴とする。
【００２６】
この請求項８の発明によれば、請求項５に記載の空気清浄装置の作用に加え、第２の空気汚れ度検出手段は、下流側ガス濃度を検出する第２のガスセンサおよび下流側粉塵濃度を検出する第２の煙センサを含み、制御手段は、下流側空気の汚れ度として検出された下流側ガス濃度および下流側粉塵濃度の１次結合値が所定値以下において前記気化式加湿手段および放電式マイナスイオン発生手段を動作させるように制御することによって、ガスおよび粉塵により発生する有害物質の発生を、より精確に低減しながらマイナスイオンを発生させるので、より精確にガスおよび粉塵による有害物質の発生を低減しマイナスイオンを有効に発生させることができる空気清浄装置を提供できる。
【００２７】
また、請求項９にかかる発明は、請求項１〜８のいずれか１つに記載の空気清浄装置において、前記室内の湿度を検出する湿度センサを、更に備え、前記制御手段は、検出される前記室内の湿度が所定の範囲内において、前記気化式加湿手段および放電式マイナスイオン発生手段を動作させるように制御することにより、前記室内の空気を清浄化して有害物質の発生を低減しながらマイナスイオンを発生させることを特徴とする。
【００２８】
この請求項９の発明によれば、請求項１〜８のいずれか１つに記載の空気清浄装置の作用に加え、室内の湿度を検出する湿度センサを更に備え、制御手段は室内の湿度が所定の範囲内において、気化式加湿手段および放電式マイナスイオン発生手段を動作させるように制御することによって、より精確に室内の空気を清浄化して有害物質の発生を低減しながらマイナスイオンを発生させることができるので、より精確に有害物質の発生を低減しマイナスイオンを有効に発生させることができる空気清浄装置を提供できる。
【００２９】
また、請求項１０にかかる発明は、請求項２または４に記載の空気清浄装置において、前記制御手段は、前記検出された前記室内の湿度に基づいて、前記第１のガスセンサの検出する前記上流側ガス濃度を補正することにより、補正された前記上流側ガス濃度が所定値以下において前記気化式加湿手段および放電式マイナスイオン発生手段を動作させるように制御すること特徴とする。
【００３０】
この請求項１０の発明によれば、請求項２または４に記載の空気清浄装置の作用に加え、制御手段は室内の湿度に基づいて補正された上流側ガス濃度が所定値以下において気化式加湿手段および放電式マイナスイオン発生手段を動作させるように制御することにより、より精確にガスにより発生する有害物質の発生を低減しながらマイナスイオンを発生させるので、より精確にガスによる有害物質の発生を低減しマイナスイオンを有効に発生させることができる空気清浄装置を提供できる。
【００３１】
また、請求項１１にかかる発明は、請求項６または８に記載の空気清浄装置において、前記制御手段は、前記検出された前記室内の湿度に基づいて、前記第２のガスセンサの検出する前記下流側ガス濃度を補正することにより、補正された前記下流側ガス濃度が所定値以下において前記気化式加湿手段および放電式マイナスイオン発生手段を動作させるように制御することを特徴とする。
【００３２】
この請求項１１の発明によれば、請求項６または８に記載の空気清浄装置の作用に加え制御手段は、室内の湿度に基づいて補正された下流側ガス濃度が所定値以下において気化式加湿手段および放電式マイナスイオン発生手段を動作させるように制御することにより、より精確にガスにより発生する有害物質の発生を低減しながらマイナスイオンを発生させるので、ガスによる有害物質の発生を低減しマイナスイオンを有効に発生させることができる空気清浄装置を提供できる。
【００３３】
また、請求項１２にかかる発明は、請求項１〜１１のいずれか１つに記載の空気清浄装置おいて、更に人感センサを備え、前記制御手段は、前記人感センサの検出に基づいて、所定の無人状態において、前記吸引送風手段、清浄化手段、気化式加湿手段、および放電式マイナスイオン発生手段のうち、少なくとも１つの動作を制御することにより、電力消耗を低減することを特徴とする。
【００３４】
この請求項１２の発明によれば、請求項１〜１１のいずれか１つに記載の空気清浄装置において、更に人感センサを備え、制御手段は人感センサの検出に基づいて所定の無人状態において、吸引送風手段、清浄化手段、気化式加湿手段、および放電式マイナスイオン発生手段のうち、少なくとも１つの動作を制御することにより、電力消耗を低減することができるので、ガスによる有害物質の発生を低減しマイナスイオンを有効に発生させることができ、かつ電力消費を低減できる空気清浄装置を提供できる。
【００３５】
【発明の実施の形態】
以下に添付図面を参照して、この発明にかかる空気清浄装置について、実施の形態１〜４について詳細に説明する。
【００３６】
［実施の形態１］
（空気清浄装置全体の構成）
図１は、本発明の実施の形態１にかかる空気清浄装置の機能的構成図である。空気清浄装置１０は、室内１１の空気を吸引する送風機１と、吸引された室内の空気１２を清浄化するとともに集塵し脱臭する集塵脱臭部２と、集塵脱臭部２を通過する空気の流れの上流側に配設されてその部分での空気の汚れを検出する第１の空気汚れ度センサ３と、集塵脱臭部２を通過して清浄化された空気に湿気を加える気化式加湿装置５と、気化式加湿装置５によって加湿された空気をイオン化させる放電式マイナスイオン発生装置６と、第１の空気汚れ度センサ３によって検出された空気の汚れ度に基づいて少なくとも気化式加湿装置５および放電式マイナスイオン発生装置６の動作を制御する制御部４と、を含んで構成される。
【００３７】
ここで、送風機１は、本発明の吸引送風手段を構成する。同様に、集塵脱臭部２は清浄化手段を構成する。以下同様に、第１の空気汚れ度センサ３は第１の空気汚れ度検出手段を、気化式加湿装置５は気化式加湿手段を、放電式マイナスイオン発生装置６は放電式マイナスイオン発生手段を、制御部４は制御手段を、それぞれ本発明において構成する。
【００３８】
ここで、送風機１は例えば電動式モータを用いる公知の吸引送風手段を用いる。また、集塵脱臭部２は公知の集塵脱臭手段を用いれば良く、何ら限定されるものではない。また、集塵脱臭部２は、空気を通過させて清浄化する空気清浄化手段の一例として空気の清浄化のうち空気中のチリ、埃、ガス、および臭いを除去するものである。
【００３９】
送風機１によって室内１１の空気が吸引送風されることによって、空気の流れは集塵脱臭部２に流れ込み（図中符号１２の矢印）、脱塵され脱臭されて清浄化された空気が流れ出す。その清浄化された空気の流れの下流側には、気化式加湿装置５および放電式マイナスイオン発生装置６が配設される。気化式加湿装置５および放電式マイナスイオン発生装置６が空気の流れに沿って配設される位置的な順序は、必ずしもこの順序でなくても良い。
【００４０】
第１の空気汚れ度センサ３は例えば、後述するガス濃度センサである。あるいは、煙センサである。あるいは、ガス濃度センサと煙センサとの組み合わせたセンサである。第１の空気汚れ度センサ３は、集塵脱臭部２の前段、即ち空気の流れの上流側に配設されて、室内１１の空気の汚れ度をリアルタイムで検出する。第１の空気汚れ度センサ３が検出した上流側空気汚れ度は、上流側空気汚れ度信号ａとして制御部４に送られる。
【００４１】
制御部４は、上流側空気汚れ度検出信号ａを受信し、室内の環境の汚れ具合を判定し、その判定に基づいて送風機１、集塵・脱臭する集塵脱臭部２、第１の空気汚れ度センサ３、気化式加湿装置５、および放電式マイナスイオン発生装置６のうち、必要に応じて制御動作を実行する。例えば、制御部４は、環境に適した送風機１の回転数を選択し、送風機１の回転数を制御する。あるいは、集塵脱臭部２において、例えば静電気による集塵の場合は、その集塵力を決定する電界の強度を制御する。あるいは、気化式加湿装置５においてはその気化速度を、そして放電式マイナスイオン発生装置６においては放電電圧を制御する。
【００４２】
制御部４は、例えばマイクロコンピュータを備えてデジタル制御可能とすることができる。あるいは電気的なアナログ信号を受信する方式でも良い。室内１１の空気の汚れがひどくて、上流側空気汚れ度検出信号ａがあらかじめ設定された設定値を超えて高く検出された場合、気化式加湿装置５および放電式マイナスイオン発生装置６の動作を停止して、送風機１の送風能力を上げて室内１１の空気の浄化のみ行うように制御する。過度に室内１１の空気が汚れている場合には、このようにマイナスイオン発生を停止して空気の浄化のみを行うことによって、マイナスイオンの発生を停止して、有害物質、特に有害なイオン物質の発生を抑制することができる。
【００４３】
気化式加湿装置５および放電式マイナスイオン発生装置６は組み合わせて用いる。それによって気化して発生する水蒸気に対して、コロナ放電により発生する電子を衝突させてマイナスに帯電させることができる。この気化式加湿装置５および放電式マイナスイオン発生装置６を組み合わせる方式については既に公知である（例えば論文「マイナスイオンの特徴と空気調和への応用現況」第３−２頁〜第３−８頁、工業調査会（株）２００２年６月発行）。放電式マイナスイオン発生方式は、そのままで使用するとオゾンや２酸化窒素などの有害な２次生成物を生じるという欠点を有するのであるが、しかし、イオン発生量が多いという利点を有していた。そのため、放電式マイナスイオン発生方式に気化式加湿装置５を組み合わせることによって、オゾンおよび二酸化窒素など高圧放電式において問題となる副生成物の発生を低く抑えることができる。
【００４４】
即ち、実施の形態１においては、気化式加湿装置５および放電式マイナスイオン発生装置６は、集塵脱臭部２を通過して清浄化された空気を用いてマイナスイオンを発生させるため、チリ、埃、あるいは煙成分に含まれる有害物質を除去した後にコロナ放電によりイオン化するので、有害物質をイオン化して新たな有害イオン物質を生成することを防ぎながら、多量のマイナスイオンを適度な湿度において発生させるので、快適な空気清浄装置を提供可能となる。
【００４５】
また、気化式加湿装置５を用いると、水を気化させて加湿するので、たとえその水の中に雑菌が含まれていたとしても熱によって殺菌される。この点で、実施の形態１による空気清浄装置においては、水破砕式のマイナスイオン発生装置のように室内に雑菌がまき散らされることを、避けることができる。
【００４６】
（第１の空気汚れ度センサとしてガス濃度センサを用いる場合）
図２は、実施の形態１による空気清浄装置の動作を示すフロー図である。ここで、第１の空気汚れ度センサ３として、空気中の有害な、あるいは有害となる可能性のあるガス濃度を検出する第１のガスセンサを用いる。第１のガス濃度センサの符号は、説明の便宜上第１の空気汚れ度センサと同じく３として説明する。その場合、図１において第１の空気汚れ度センサ３を第１のガス濃度センサ３と読み替えることにする。この場合、制御部４に対して送信される図１に記された上流側空気汚れ度信号ａは、そこにおいて検出される空気中のガス濃度を表す上流側ガス濃度信号Ｓｇである。
【００４７】
その流れを説明すると、先ず、第１のガス濃度センサ３が、集塵脱臭部２の上流部において空気の汚れ度として上流側ガス濃度を検出する（ステップＳ２０１）。その検出値はガス濃度を表す上流側ガス濃度信号Ｓｇとして制御部４に送信される。受信した制御部４は、気化式加湿装置５および放電式マイナスイオン発生装置６の動作状態を判定する（ステップＳ２０２）。動作が「入」の場合（ステップＳ２０２の入）、上流側ガス濃度信号Ｓｇが、あらかじめ設定されている入・切判定値以上であるかを比較する（ステップＳ２０３）。そして、上流側ガス濃度信号Ｓｇがあらかじめ定めた所定の入・切判定値以上の場合（ステップＳ２０３のＹ）、気化式加湿装置５および放電式マイナスイオン発生装置６の動作を停止する（ステップＳ２０４）。
【００４８】
また、第１ガス濃度を検出した後、気化式加湿装置５および放電式マイナスイオン発生装置６の動作が停止状態であると判定した場合（ステップＳ２０２の切）、制御手段４は上流側ガス濃度信号Ｓｇが、入・切判定値以下であるかを判定する（ステップＳ２０５）。そして、入・切判定値以下の場合（ステップＳ２０５のＹ）、制御部４は、気化式加湿装置５および放電式マイナスイオン発生装置６の動作を開始させる（ステップＳ２０６）。一方、入・切判定値以下でない場合（ステップＳ２０５のＮ）、気化式加湿装置５および放電式マイナスイオン発生装置６は動作を停止したままである。
【００４９】
こうして、制御部４は第１のガス濃度センサ３のガス濃度の検出に基づいて気化式加湿装置５および放電式マイナスイオン発生装置６のオン・オフ動作を制御して、上流側ガス濃度信号Ｓｇが所定値以下に低下したときのみ加湿装置５およびマイナスイオン発生装置６を動作させる。それにより、上流側ガス濃度が高い場合、マイナスイオン発生の過程におけるイオン化された有害物質が新たに発生することを避けることができる。
【００５０】
上流側ガス濃度信号Ｓｇを受信した制御部４は、室内のガス濃度が規定値以上であると判断した場合、例えば、気化式加湿装置５および放電式マイナスイオン発生装置６の動作を停止して、送風機１の回転数を上げるように制御することもできる。それによって、気化式加湿装置５および放電式マイナスイオン発生装置６の動作を停止して、放電によって生じる有害なイオン生成物の発生を抑えることができ、またその間、送風機１の回転数を上げるよう制御することによって空気浄化能力を高めて迅速に空気を浄化することができる。
【００５１】
（第１の空気汚れ度センサとして煙センサを用いる場合）
ここで、第１の空気汚れ度センサ３として第１の煙センサを用いることができる。第１の煙センサの符号は図１における第１の空気汚れ度センサ３を読み替えたものとして便宜上３を用いる。第１の煙センサは、微粒子の粉末や煙に起因する粉塵濃度を上流側において検出する。この場合、上流側空気汚れ度検出信号ａは、検出された上流側粉塵濃度信号Ｓｄである。上流側粉塵濃度信号Ｓｄは制御部４に送信され、制御部４はそれを読み取って判定する。
【００５２】
図３は、実施の形態１の空気清浄装置の動作のフロー図である。図３を参照しながら説明すると、先ず、第１の煙センサ３が、集塵脱臭部２の上流部において空気の汚れ度として上流側粉塵濃度を検出する（ステップＳ３０１）。その検出値は粉塵濃度を表す上流側粉塵濃度信号Ｓｄとして制御部４に送信される。受信した制御部４は、気化式加湿装置５および放電式マイナスイオン発生装置６の動作状態を判定する（ステップＳ３０２）。動作が「入」の場合（ステップＳ３０２の入）、上流側粉塵濃度信号Ｓｄが、あらかじめ設定されている入・切判定値以上であるかを比較する（ステップＳ３０３）。そして、上流側粉塵濃度信号Ｓｄがあらかじめ定めた所定の入・切判定値以上の場合（ステップＳ３０３のＹ）、気化式加湿装置５および放電式マイナスイオン発生装置６の動作を停止する（ステップＳ３０４）。
【００５３】
また、第１粉塵濃度を検出した後、気化式加湿装置５および放電式マイナスイオン発生装置６の動作が停止状態であると判定した場合（ステップＳ３０２の切）、制御手段４は上流側粉塵濃度信号Ｓｄが、入・切判定値以下であるかを判定する（ステップＳ３０５）。そして、入・切判定値以下の場合（ステップＳ３０５のＹ）、制御部４は、気化式加湿装置５および放電式マイナスイオン発生装置６の動作を開始させる（ステップＳ３０６）。一方、入・切判定値以下でない場合（ステップＳ３０５のＮ）、気化式加湿装置５および放電式マイナスイオン発生装置６は動作を停止したままである。
【００５４】
こうして、制御部４は第１の煙センサ３の粉塵濃度の検出に基づいて気化式加湿装置５および放電式マイナスイオン発生装置６のオン・オフ動作を制御して、上流側粉塵濃度信号Ｓｄが所定値以下に低下したときのみ加湿装置５およびマイナスイオン発生装置６を動作させる。それにより、上流側粉塵濃度が高い場合、マイナスイオン発生の過程におけるイオン化された有害物質が新たに発生することを避けることができる。
【００５５】
上流側粉塵濃度信号Ｓｄを受信した制御部４は、室内の粉塵濃度が規定値以上であると判断した場合、例えば、気化式加湿装置５および放電式マイナスイオン発生装置６の動作を停止して、送風機１の回転数を上げるように制御することもできる。それによって、気化式加湿装置５および放電式マイナスイオン発生装置６の動作を停止して、放電によって生じる有害なイオン生成物の発生を抑えることができ、またその間、送風機１の回転数を上げるよう制御することによって空気浄化能力を高めて迅速に空気を浄化することができる。
【００５６】
（ガス濃度センサと煙センサとを備える場合）
ここで、第１の空気汚れ度センサ３として、第１のガスセンサおよび第１の煙センサの両方を備えることができる。図４は、実施の形態１による空気清浄装置の空気汚れ度検出信号の１例を示す説明図である。図４に示すように、第１の空気汚れ度センサ３のうち、一方のセンサである第１のガスセンサ３０は、上流側ガス濃度を検出し、上流側ガス濃度信号Ｓｇを制御手段４に送信する。他方のセンサである煙センサ３１は上流側粉塵濃度Ｓｄを検出し、上流側粉塵濃度信号Ｓｄを制御部４に送信する。制御部４に送信された上流側ガス濃度信号Ｓｇおよび上流側粉塵濃度信号Ｓｄは、加算されて、汚れ度信号ａとして制御部４に送信される。
【００５７】
ここで、上記それぞれの信号に対してそれぞれｍ、ｎなる定数を乗じて加算して用いることもできる。即ち、上流側空気汚れ度を表す汚れ度検出信号ａは、ａ＝ｍ・Ｓｇ＋ｎ・Ｓｄとして、ＳｇとＳｄの１次結合値を用いる。
【００５８】
このとき、特に、０＜ｍ、ｎ＜１であって、かつｍ＋ｎ＝１であるようにｍ、ｎを設定することができる。このように設定することによって、上式で表された上流側空気汚れ度検出信号値ａは、上流側空気ガス濃度信号Ｓｇと上流側空気粉塵濃度信号Ｓｄとの加重平均値となる。
【００５９】
図５は、第１のガスセンサおよび第１のガス濃度を併せて用いた場合の空気清浄装置の動作フロー図である。その流れを説明すると、先ず、第１のガスセンサ３０および第１の煙センサ３１が、集塵脱臭部２の上流部において空気の汚れ度として上流側ガス濃度および粉塵濃度を検出する（ステップＳ５０１）。その検出された上流側ガス濃度を表す上流側ガス濃度信号Ｓｇと上流側粉塵濃度を表す上流側汚れ度信号ａとが１次結合として加算されて汚れ度信号ａとして、制御部４に送信される。受信した制御部４は、気化式加湿装置５および放電式マイナスイオン発生装置６の動作状態を判定する（ステップＳ５０２）。動作が「入」の場合（ステップＳ５０２の入）、上流側汚れ度信号ａが、あらかじめ設定されている入・切判定値以上であるかを比較する（ステップＳ５０３）。そして、上流側汚れ度信号ａがあらかじめ定めた所定の入・切判定値以上の場合（ステップＳ５０３のＹ）、気化式加湿装置５および放電式マイナスイオン発生装置６の動作を停止する（ステップＳ５０４）。
【００６０】
また、上流側汚れ度信号ａを検出した後、気化式加湿装置５および放電式マイナスイオン発生装置６の動作が停止状態であると判定した場合（ステップＳ５０２の切）、制御手段４は上流側汚れ度信号ａが、入・切判定値以下であるかを判定する（ステップＳ５０５）。そして、入・切判定値以下の場合（ステップＳ５０５のＹ）、制御部４は、気化式加湿装置５および放電式マイナスイオン発生装置６の動作を開始させる（ステップＳ５０６）。一方、入・切判定値以下でない場合（ステップＳ５０５のＮ）、気化式加湿装置５および放電式マイナスイオン発生装置６は動作を停止したままである。
【００６１】
こうして、制御部４は第１のガスセンサ３０および第１の煙センサ３１の粉塵濃度の検出に基づいて気化式加湿装置５および放電式マイナスイオン発生装置６のオン・オフ動作を制御して、上流側汚れ度信号ａが所定値以下に低下したときのみ加湿装置５およびマイナスイオン発生装置６を動作させる。それにより、上流側ガス濃度と粉塵濃度を合わせたものが高い場合、マイナスイオン発生の過程におけるイオン化された有害物質が新たに発生することを避けることができる。
【００６２】
上流側汚れ度信号ａを受信した制御部４は、室内の粉塵濃度が規定値以上であると判断した場合、例えば、気化式加湿装置５および放電式マイナスイオン発生装置６の動作を停止して、送風機１の回転数を上げるように制御する。それによって、気化式加湿装置５および放電式マイナスイオン発生装置６の動作を停止して、放電によって生じる有害なイオン生成物の発生を抑えることができ、またその間、送風機１の回転数を上げるよう制御することによって空気浄化能力を高めて迅速に空気を浄化することができる。
【００６３】
実施の形態１では、ガスや粉塵による空気の汚れ度が一定値よりも下がるまでコロナ放電による放電式マイナスイオン発生装置６の動作を停止して有害物質の発生を抑えながら空気の清浄化能力を高めて運転し、空気の汚れ度が一定値より下がった場合において気化式加湿装置５および放電式マイナスイオン発生装置６の動作を開始することによって、有害物質の発生を能率良く低減しながら良好なマイナスイオンを発生する空気浄化を行うことができる。
【００６４】
［実施の形態２］
（第２の空気汚れ度センサを備えた場合）
図６は、本発明の実施の形態２にかかる空気清浄装置の機能的構成図である。図６に示す様に、実施の形態２は、実施の形態１の構成に、第２の空気汚れ度センサを加えた構成である。ここで、第２の空気汚れ度センサは、本発明における第２の空気汚れ度検出手段を構成する。
【００６５】
第２の空気汚れ度センサ９は、集塵脱臭部２の後段側、即ち、空気の流れの下流側に配設される。第２の空気汚れ度検出センサ９は、集塵脱臭部２から送出される清浄化された空気の汚れ度を検出する。そして、下流側空気の汚れ度をリアルタイムで検出して、下流側空気汚れ度検出信号ｂとして制御部４に送信する。そして、集塵脱臭部２で清浄化された下流側空気の汚れ度ｂが、あらかじめ設定された所定値以下になったときに、制御部４は加湿装置５およびマイナスイオン発生装置６を動作させる。ここで、第２の空気汚れ度センサとして、実施の形態１と同様に、ガス濃度センサ、煙センサ、およびその両方を用いた場合を説明する。
【００６６】
図７は、実施の形態２による空気清浄装置の動作を示すフロー図である。第２の空気汚れ度センサ９に基づく制御部４の制御動作は、集塵脱臭部２の下流側で検出された空気の汚れ度ｂを用いる。ここで、第２の空気汚れ度センサ９として、空気中の有害な、あるいは有害となる可能性のあるガス濃度を検出する第２のガスセンサを用いる。第２のガス濃度センサの符号は、説明の便宜上第２の空気汚れ度センサと同じく９として説明する。その場合、図６において第２の空気汚れ度センサ９を第２のガス濃度センサ９と読み替えることにする。この場合、制御部４に対して送信される図６に記された下流側空気汚れ度信号ｂは、そこにおいて検出される空気中のガス濃度を表す下流側ガス濃度信号Ｓ’ｇである。
【００６７】
図７を参照しながら流れを説明すると、先ず、第２のガス濃度センサ９が、集塵脱臭部２の下流部において空気の汚れ度として下流側ガス濃度を検出する（ステップＳ７０１）。その検出値はガス濃度を表す下流側ガス濃度信号Ｓ’ｇとして制御部４に送信される。受信した制御部４は、気化式加湿装置５および放電式マイナスイオン発生装置６の動作状態を判定する（ステップＳ７０２）。動作が「入」の場合（ステップＳ７０２の入）、下流側ガス濃度信号Ｓ’ｇが、あらかじめ設定されている入・切判定値以上であるかを比較する（ステップＳ７０３）。そして、下流側ガス濃度信号Ｓ’ｇがあらかじめ定めた所定の入・切判定値以上の場合（ステップＳ７０３のＹ）、気化式加湿装置５および放電式マイナスイオン発生装置６の動作を停止する（ステップＳ７０４）。
【００６８】
また、下流側ガス濃度を検出した後、気化式加湿装置５および放電式マイナスイオン発生装置６の動作が停止状態であると判定した場合（ステップＳ７０２の切）、制御手段４は下流側ガス濃度信号Ｓ’ｇが、入・切判定値以下であるかを判定する（ステップＳ７０５）。そして、入・切判定値以下の場合（ステップＳ７０５のＹ）、制御部４は、気化式加湿装置５および放電式マイナスイオン発生装置６の動作を開始させる（ステップＳ７０６）。一方、入・切判定値以下でない場合（ステップＳ７０５のＮ）、気化式加湿装置５および放電式マイナスイオン発生装置６は動作を停止したままである。
【００６９】
こうして、制御部４は第２のガス濃度センサ９のガス濃度の検出に基づいて気化式加湿装置５および放電式マイナスイオン発生装置６のオン・オフ動作を制御して、下流側ガス濃度信号Ｓ’ｇが所定値以下に低下したときのみ加湿装置５およびマイナスイオン発生装置６を動作させる。それにより、下流側ガス濃度が高い場合、マイナスイオン発生の過程におけるイオン化された有害物質が新たに発生することを避けることができる。
【００７０】
下流側ガス濃度信号Ｓ’ｇを受信した制御部４は、室内のガス濃度が規定値以上であると判断した場合、例えば、気化式加湿装置５および放電式マイナスイオン発生装置６の動作を停止して、送風機１の回転数を上げるように制御することもできる。それによって、気化式加湿装置５および放電式マイナスイオン発生装置６の動作を停止して、放電によって生じる有害なイオン生成物の発生を抑えることができ、またその間、送風機１の回転数を上げるよう制御することによって空気浄化能力を高めて迅速に空気を浄化することができる。
【００７１】
（第２の空気汚れ度センサとして煙センサを用いる場合）
ここで、第２の空気汚れ度センサ９として第２の煙センサを用いることができる。第２の煙センサの符号は図６における第２の空気汚れ度センサ９を読み替えたものとして便宜上９を用いる。第２の煙センサは、微粒子の粉末や煙に起因する粉塵濃度を下流側において検出する。この場合、下流側空気汚れ度検出信号ｂは、検出された下流側粉塵濃度信号Ｓ’ｄである。下流側粉塵濃度信号Ｓ’ｄは制御部４に送信され、制御部４はそれを読み取って判定する。
【００７２】
図８は、実施の形態２の空気清浄装置の動作のフロー図である。図８を参照しながら説明すると、先ず、第２の煙センサ９が、集塵脱臭部２の下流部において空気の汚れ度として下流側粉塵濃度を検出する（ステップＳ８０１）。その検出値は粉塵濃度を表す下流側粉塵濃度信号Ｓ’ｄとして制御部４に送信される。受信した制御部４は、気化式加湿装置５および放電式マイナスイオン発生装置６の動作状態を判定する（ステップＳ８０２）。動作が「入」の場合（ステップＳ８０２の入）、下流側粉塵濃度信号Ｓ’ｄが、あらかじめ設定されている入・切判定値以上であるかを比較する（ステップＳ８０３）。そして、下流側粉塵濃度信号Ｓ’ｄがあらかじめ定めた所定の入・切判定値以上の場合（ステップＳ８０３のＹ）、気化式加湿装置５および放電式マイナスイオン発生装置６の動作を停止する（ステップＳ８０４）。
【００７３】
また、第２粉塵濃度を検出した後、気化式加湿装置５および放電式マイナスイオン発生装置６の動作が停止状態であると判定した場合（ステップＳ８０２の切）、制御手段４は下流側粉塵濃度信号Ｓ’ｄが、入・切判定値以下であるかを判定する（ステップＳ８０５）。そして、入・切判定値以下の場合（ステップＳ８０５のＹ）、制御部４は、気化式加湿装置５および放電式マイナスイオン発生装置６の動作を開始させる（ステップＳ８０６）。一方、入・切判定値以下でない場合（ステップＳ８０５のＮ）、気化式加湿装置５および放電式マイナスイオン発生装置６は動作を停止したままである。
【００７４】
こうして、制御部４は第２の煙センサ９の粉塵濃度の検出に基づいて気化式加湿装置５および放電式マイナスイオン発生装置６のオン・オフ動作を制御して、下流側粉塵濃度信号Ｓ’ｄが所定値以下に低下したときのみ加湿装置５およびマイナスイオン発生装置６を動作させる。それにより、下流側粉塵濃度が高い場合、マイナスイオン発生の過程におけるイオン化された有害物質が新たに発生することを避けることができる。
【００７５】
下流側粉塵濃度信号Ｓ’ｄを受信した制御部４は、室内の粉塵濃度が規定値以上であると判断した場合、例えば、気化式加湿装置５および放電式マイナスイオン発生装置６の動作を停止して、送風機１の回転数を上げるように制御することもできる。それによって、気化式加湿装置５および放電式マイナスイオン発生装置６の動作を停止して、放電によって生じる有害なイオン生成物の発生を抑えることができ、またその間、送風機１の回転数を上げるよう制御することによって空気浄化能力を高めて迅速に空気を浄化することができる。
【００７６】
（ガス濃度センサと煙センサとを備える場合）
ここで、第２の空気汚れ度センサ９として、第２のガスセンサおよび第２の煙センサの両方を備えることができる。図９は、実施の形態２による空気清浄装置の空気汚れ度検出信号の１例を示す説明図である。図９に示すように、第２の空気汚れ度センサ９のうち、一方のセンサである第２のガスセンサ３０は、下流側ガス濃度を検出し、下流側ガス濃度信号Ｓ’ｇを制御手段４に送信する。他方のセンサである煙センサ９１は下流側粉塵濃度Ｓ’ｄを検出し、下流側粉塵濃度信号Ｓ’ｄを制御部４に送信する。制御部４に送信された下流側ガス濃度信号Ｓ’ｇおよび下流側粉塵濃度信号Ｓ’ｄは、加算されて、汚れ度信号ｂとして制御部４に送信される。
【００７７】
ここで、上記それぞれの信号に対してそれぞれｍ’、ｎ’なる定数を乗じて加算して用いることもできる。即ち、下流側空気汚れ度を表す汚れ度検出信号ｂは、ｂ＝ｍ’・Ｓ’ｇ＋ｎ’・Ｓ’ｄとして、Ｓ’ｇとＳ’ｄの１次結合値を用いる。
【００７８】
このとき、特に、０＜ｍ、ｎ＜１であって、かつｍ＋ｎ＝１であるようにｍ、ｎを設定することができる。このように設定することによって、上式で表された下流側空気汚れ度検出信号値ｂは、下流側空気ガス濃度信号Ｓ’ｇと下流側空気粉塵濃度信号Ｓ’ｄとの加重平均値となる。
【００７９】
図１０は、第２のガスセンサおよび第２のガス濃度を併せて用いた場合の空気清浄装置の動作フロー図である。その流れを説明すると、先ず、第２のガスセンサ３０および第２の煙センサ３１が、集塵脱臭部２の下流部において空気の汚れ度として下流側ガス濃度および粉塵濃度を検出する（ステップＳ１００１）。その検出された下流側ガス濃度を表す下流側ガス濃度信号Ｓ’ｇと下流側粉塵濃度を表す下流側汚れ度信号ｂとが１次結合として加算されて汚れ度信号ｂとして、制御部４に送信される。受信した制御部４は、気化式加湿装置５および放電式マイナスイオン発生装置６の動作状態を判定する（ステップＳ１００２）。動作が「入」の場合（ステップＳ１００２の入）、下流側汚れ度信号ｂが、あらかじめ設定されている入・切判定値以上であるかを比較する（ステップＳ１００３）。そして、下流側汚れ度信号ｂがあらかじめ定めた所定の入・切判定値以上の場合（ステップＳ１００３のＹ）、気化式加湿装置５および放電式マイナスイオン発生装置６の動作を停止する（ステップＳ１００４）。
【００８０】
また、下流側汚れ度信号ｂを検出した後、気化式加湿装置５および放電式マイナスイオン発生装置６の動作が停止状態であると判定した場合（ステップＳ１００２の切）、制御手段４は下流側汚れ度信号ｂが、入・切判定値以下であるかを判定する（ステップＳ１００５）。そして、入・切判定値以下の場合（ステップＳ１００５のＹ）、制御部４は、気化式加湿装置５および放電式マイナスイオン発生装置６の動作を開始させる（ステップＳ１００６）。一方、入・切判定値以下でない場合（ステップＳ１００５のＮ）、気化式加湿装置５および放電式マイナスイオン発生装置６は動作を停止したままである。
【００８１】
こうして、制御部４は第２のガスセンサ３０および第２の煙センサ３１の粉塵濃度の検出に基づいて気化式加湿装置５および放電式マイナスイオン発生装置６のオン・オフ動作を制御して、下流側汚れ度信号ｂが所定値以下に低下したときのみ加湿装置５およびマイナスイオン発生装置６を動作させる。それにより、下流側ガス濃度と粉塵濃度を合わせたものが所定値より高い場合、動作を停止することによってマイナスイオン発生の過程におけるイオン化された有害物質が新たに発生することを避けることができる。
【００８２】
ここで、既に説明した第１の空気汚れ度センサ３による上流側空気汚れ度検出値ａと、第２の空気汚れ度センサによる下流側の空気汚れ度検出値ｂとを比較し、集塵脱臭部２の清浄化能力を検出して、制御部４は集塵脱臭部２を制御することも可能である。あるいは、集塵脱臭部２の長期間使用などによる清浄化能力の低下を検出することもできる。
【００８３】
特に下流側の空気汚れ度検出値ｂが所定値以下であるときのみ、気化式加湿装置５および放電式マイナスイオン発生装置６を動作させることによって、清浄化された空気であること、即ち有毒物質の発生が有効に除去されたことを確認した上でマイナスイオンを発生させることができるので、より精確に空気清浄装置の運転を制御することができる。
【００８４】
こうして、下流側の空気汚れ度が一定値よりも下がるまでコロナ放電による放電式マイナスイオン発生装置６の動作を停止して有害物質の発生を抑え、そして一定値以下に下がった場合においてマイナスイオン発生装置６の動作を開始することによって、有害物質の発生を低減しながらマイナスイオンを発生する空気浄化を行うことができる。また、気化式加湿装置５および放電式マイナスイオン発生装置６を停止して、送風機１の送風強度を高めて有害な物質の発生を避けながら能率良く空気を浄化することもできる。
【００８５】
［実施の形態３］
（湿度センサを備える場合）
図１１は、本発明の実施の形態３にかかる空気清浄装置の機能的構成図である。実施の形態３は、実施の形態１の構成に、室内の湿度を検出する湿度センサ７を加えた構成である。湿度センサ７は、集塵脱臭部２の上流側に配設される。
【００８６】
室内の湿度は一般に空気の清浄条件に影響を与える。そのため、湿度センサ７によって検出された湿度によって、制御部４は、空気清浄装置全体を制御することができる。例えば制御部４は、検出湿度に基づいて、送風機１の回転数を制御する、あるいは、集塵脱臭部２が静電気による集塵である場合はその集塵力を決定する電界の強度を湿度補正を加味して制御する。あるいは制御部４は、第１および／または第２のガスセンサによる検出値、あるいは第１および／または第２の煙センサの検出値に湿度による補正を加えることができる。こうして、制御部４は、湿度に基づく補正を加味しながら制御するので、空気清浄装置に対する制御動作がより正確となる。
【００８７】
室内の湿度の変化は特に、ガス濃度センサの検出値に影響を与え易いので、第１および／または第２のガス濃度センサによって検出されたガス濃度に対して、検出された湿度による補正を加えて湿度による補正を加味することによって、第１および／または第２のガス濃度センサの検出するガス濃度が、湿度が変化したとしても、より正確なものとなり、制御部４による制御動作がより正確となる。
【００８８】
また、湿度が高すぎたり低すぎたりする場合は、イオン化が容易ではなくなる。そのため、あらかじめ所定の湿度を高湿度入・切判定値および低湿度入・切判定値として設定しておいて、制御部４は、その低湿度入・切判定値と高湿度入・切判定値との湿度範囲内で、気化式加湿装置５および放電式マイナスイオン発生装置６を動作させるよう制御する。イオン化にとって最も好適な湿度範囲は一般に４０〜６０％といわれているが、例えばそのような範囲を選択してその湿度範囲において制御部４は空気清浄装置を動作させるよう制御することができる。
【００８９】
図１２は、本発明の実施の形態３にかかる空気清浄装置の湿度センサの検出に基づく制御の流れを示すフロー図である。先ず、設置された湿度センサ７が、室内１１の湿度を検出すると、その湿度検出信号（湿度センサ出力値）ｈを制御部４に送信する（ステップＳ１２０１）。湿度検出信号ｈを受信した制御部４は、気化式加湿装置５および放電式マイナスイオン発生装置６の動作状態を判断する（ステップＳ１２０２）。気化式加湿装置５および放電式マイナスイオン発生装置６が動作中であると判断した場合は（ステップＳ１２０２の入）、送信された湿度センサ出力値である湿度検出信号ｈが、あらかじめ設定され高湿度入・切判定値以上であるかどうかを判定する（ステップＳ１２０３）。この高湿度入・切判定値は、室内の湿度が高くなりすぎる場合に運転動作を停止するために設定されている。湿度検出信号ｈが高湿度入・切判定値以上である場合（ステップＳ１２０３のＹ）、制御部４は気化式加湿装置５および放電式マイナスイオン発生装置６の運転を停止する（ステップＳ１２０４）。その反対に、湿度検出信号ｈが高湿度入・切判定値以上でない場合は（ステップＳ１２０３のＮ）、そのまま気化式加湿装置５および放電式マイナスイオン発生装置６の運転を継続する。
【００９０】
次に、気化式加湿装置５および放電式マイナスイオン発生装置６の運転状態が停止中の場合（ステップＳ１２０２の切）、制御部４は、湿度検出信号ｈが低湿度入・切判定値以下であるかを判定する（ステップＳ１２０５）。そして、低湿度入・切判定値以下であった場合は（ステップＳ１２０５のＹ）、気化式加湿装置５および放電式マイナスイオン発生装置６の運転を開始する（ステップＳ１２０６）。一方、湿度検出信号ｈが低湿度入・切判定値以下ではなかった場合（ステップＳ１２０５のＮ）、そのまま継続して停止する（ステップＳ１２０６）。
【００９１】
このようにあらかじめ高湿度入・切判定値および低湿度入・切判定値を設定しておいて、その高および低湿度入・切判定値の範囲の湿度で気化式加湿装置５および放電式マイナスイオン発生装置６を動作させることにより、マイナスイオンの発生にとって好適な湿度範囲において、気化式加湿装置５および放電式マイナスイオン発生装置６を動作するようにできる。
【００９２】
［実施の形態４］
（人感センサを備える場合）
実施の形態４は、図１１に示すように、実施の形態１の構成に人感センサ８を加えた構成である。人感センサ８は、室内に人間が存在するかどうかを検出するセンサであって、例えば赤外線センサを用いるなど公知の種々の方式を用いることができる。
【００９３】
人感センサ８が配設される場所は、人の有無を検出しやすい場所であれば良い。人感センサ８は、室内に人が一定時間居ないことを検出した場合、その検出に基づいて制御部４が、気化式加湿装置５および放電式マイナスイオン発生装置６の動作、あるいは空気清浄装置の動作を停止するなどして、空気清浄装置の電力消費を抑えることができる。
【００９４】
図１３は、実施の形態４による空気清浄装置の人感センサの検出による制御動作を示すフロー図である。先ず、人感センサ８は、室内の人間の存在の有無を検出し、人の存在の有無を表す人感センサ出力信号ｅを制御部４に送信する（ステップＳ１３０１）。次に、制御部４は、気化式加湿装置５および放電式マイナスイオン発生装置６の動作状態を判定する（ステップＳ１３０２）。そして、気化式加湿装置５および放電式マイナスイオン発生装置６が動作中の場合（ステップＳ１３０２の入）、制御部４は先に受信した人感センサ出力信号ｅを判定して（ステップＳ１３０３）、人が存在すると判定した場合、気化式加湿装置５および放電式マイナスイオン発生装置６を継続して運転する（ステップＳ１３０４）。一方、制御部４が人は存在しないと判定した場合（ステップＳ１３０３のＮ）、人未検出時間があらかじめ設定された規定時間よりも長いかを判定する（ステップＳ１３０５）。人未検出時間の検出には、一般的なタイマーを用いれば良い。そして、制御部４が、規定時間よりも長いと判定したときは（ステップＳ１３０５のＹ）、気化式加湿装置５および放電式マイナスイオン発生装置６の運転を停止する（ステップＳ１３０６）。一方、規定時間よりも長くないと判定したときは（ステップＳ１３０５のＮ）、気化式加湿装置５および放電式マイナスイオン発生装置６の運転を継続する。
【００９５】
反対に、気化式加湿装置５および放電式マイナスイオン発生装置６の動作が停止中の場合（ステップＳ１３０２の切）、人感センサ８は人を検出したかどうかを判定し（ステップＳ１３０７）、人が存在すると判定した場合は、気化式加湿装置５および放電式マイナスイオン発生装置６の運転を開始する（ステップＳ１３０８）。人の存在を検出しなかった場合は（ステップＳ１３０７のＮ）、気化式加湿装置５および放電式マイナスイオン発生装置６は、そのまま継続して動作を停止したままとする。
【００９６】
こうして、人感センサ８を備えた場合、室内における人の有無をリアルタイムで検出し、加湿装置５およびマイナスイオン発生装置６の動作状態を確認でき、人が居る場合には気化式加湿装置５および放電式マイナスイオン発生装置６を継続して動作させ、逆に人を検出しない状態で所定の時間（例えば３０分間）経過した場合は、気化式加湿装置５および放電式マイナスイオン発生装置６の動作を停止する。このように人感センサ８を備えることによって、人が室内に実際に居ないにも拘わらず空気清浄装置の運転を続けるという無駄な電力消耗を避けることができる。
【００９７】
【発明の効果】
請求項１にかかる発明によれば、マイナスイオンを発生に際し空気の汚れによる有害物質の発生を低減しマイナスイオンを有効に発生させることができる空気清浄装置を提供できるという効果を奏する。
【００９８】
また、請求項２にかかる発明によれば、請求項１に記載の空気清浄装置の効果に加え、ガスによる有害物質の発生を低減しマイナスイオンを有効に発生させることができる空気清浄装置を提供できるという効果を奏する。
【００９９】
また、請求項３にかかる発明によれば、請求項１に記載の空気清浄装置の効果に加え、粉塵による有害物質の発生を低減しマイナスイオンを有効に発生させることができる空気清浄装置を提供できるという効果を奏する。
【０１００】
また、請求項４にかかる発明によれば、請求項１に記載の空気清浄装置の効果に加え、ガスおよび粉塵による有害物質の発生を低減しマイナスイオンを有効に発生させることができる空気清浄装置を提供できるという効果を奏する。
【０１０１】
また、請求項５にかかる発明によれば、請求項１〜４のいずれか１つに記載の空気清浄装置の効果に加え、清浄化手段の能力を判定でき、かつ清浄化された空気の汚れ度を検知するので、より精確に空気の汚れにより発生する有害物質の発生を低減しマイナスイオンを有効に発生させることができる空気清浄装置を提供できるという効果を奏する。
【０１０２】
また、請求項６にかかる発明によれば、請求項５に記載の空気清浄装置の効果に加え、より精確にガスにより発生する有害物質の発生を低減しながらマイナスイオンを有効に発生させることができる空気清浄装置を提供できるという効果を奏する。
【０１０３】
また、請求項７にかかる発明によれば、請求項５に記載の空気清浄装置の効果に加え、より精確に粉塵により発生する有害物質の発生を低減しながらマイナスイオンを有効に発生させることができる空気清浄装置を提供できるという効果を奏する。
【０１０４】
また、請求項８にかかる発明によれば、請求項５に記載の空気清浄装置の効果に加え、ガスおよび粉塵により発生する有害物質の発生をより精確に低減しながらマイナスイオンを有効に発生させることができる空気清浄装置を提供できるという効果を奏する。
【０１０５】
また、請求項９にかかる発明によれば、請求項１〜８のいずれか１つに記載の空気清浄装置の効果に加え、更に湿度を検出してより精確に制御するので、有害物質の発生をより精確に低減しながらマイナスイオンを有効に発生させる空気清浄装置を提供できるという効果を奏する。
【０１０６】
また、請求項１０にかかる発明によれば、請求項２または４に記載の空気清浄装置の効果に加え、より精確にガスにより発生する有害物質の発生を低減しながらマイナスイオンを有効に発生させる空気清浄装置を提供できるという効果を奏する。
【０１０７】
また、請求項１１にかかる発明によれば、請求項６または８に記載の効果に加え、より精確にガスにより発生する有害物質の発生を低減しながらマイナスイオンを有効に発生させる空気清浄装置を提供できるという効果を奏する。
【０１０８】
また、請求項１２にかかる発明によれば、請求項１〜１１のいずれか１つに記載の発明の効果に加え、有害物質の発生を低減しながら有効にマイナスイオンを発生させかつ電力消費を低減できる空気清浄装置を提供できるという効果を奏する。
【図面の簡単な説明】
【図１】本発明の実施の形態１にかかる空気清浄装置の機能的構成図である。
【図２】実施の形態１にかかる空気清浄装置の動作を示すフロー図である。
【図３】実施の形態１にかかる空気清浄装置の動作を示すフロー図である。
【図４】実施の形態１にかかる空気清浄装置の上流側空気汚れ度検出信号の１例を説明する図である。
【図５】実施の形態１にかかる空気清浄装置の動作を示すフロー図である。
【図６】本発明の実施の形態２にかかる空気清浄装置の機能的構成図である。
【図７】実施の形態２にかかる空気清浄装置の動作を示すフロー図である。
【図８】実施の形態２にかかる空気清浄装置の動作を示すフロー図である。
【図９】実施の形態２にかかる空気清浄装置の下流側空気汚れ度検出信号の１例を説明する図である。
【図１０】実施の形態２にかかる空気清浄装置の動作を示すフロー図である。
【図１１】本発明の実施の形態３にかかる空気清浄装置の機能的構成図である。
【図１２】実施の形態３にかかる空気清浄装置の動作を示すフロー図である。
【図１３】本発明の実施の形態４にかかる空気清浄装置の動作を示すフロー図である。
【符号の説明】
１  送風機
２  集塵脱臭部
３  第１の空気汚れ度センサ
４  制御部
５  気化式加湿装置
６  放電式マイナスイオン発生装置
７  湿度センサ
８  人感センサ
９  第２の空気汚れ度センサ
３０  第１のガス濃度センサ
３１  第１の煙センサ
４０  第２のガス濃度センサ
４１  第２の煙センサ
【図１】
2004150734.tif 000003
【図２】
2004150734.tif 000004
【図３】
2004150734.tif 000005
【図４】
2004150734.tif 000006
【図５】
2004150734.tif 000007
【図６】
2004150734.tif 000008
【図７】
2004150734.tif 000009
【図８】
2004150734.tif 000010
【図９】
2004150734.tif 000011
【図１０】
2004150734.tif 000012
【図１１】
2004150734.tif 000013
【図１２】
2004150734.tif 000014
【図１３】
2004150734.tif 000015